(57)【要約】【課題】プリンタドライバにより出力先プリンタを切り替える際に、ユーザが改めて印刷設定し直すこととなるケースを従来よりも限定し、ユーザの印刷設定の負担を軽減する。【解決手段】複数のプリンタに接続可能で、前記複数のプリンタに共通のプリンタドライバ４０１を備えた情報処理装置であって、ユーザがプリンタを切り替えるとき、ユーザの印刷設定の引継条件に関する選択を受け付けて設定する引継条件設定手段４０４と、切替元プリンタと切替先プリンタの機種情報を所定の判別基準に基づき比較して比較結果を取得する機種情報比較手段４０６と、前記機種情報比較手段４０６で取得された比較結果に基づき、出力先プリンタ切替時に印刷設定を引き継ぐか又は初期化するかを判別する印刷設定引継手段４０５と、を有する。【選択図】図２
2014211722.tif 000002
【特許請求の範囲】
【請求項１】
複数のプリンタに接続可能で、前記複数のプリンタに共通のプリンタドライバを備えた情報処理装置であって、
ユーザが出力先プリンタを切り替えるとき、ユーザの印刷設定の引継条件に関する選択を受け付けて設定する引継条件設定手段と、
前記設定された引継条件における印刷設定の引継モードを判別し、引継モードが自動判別であるとき、切替元プリンタの機種情報と切替先プリンタの機種情報を、前記引継条件における所定の判別基準で比較した比較結果を取得する機種情報比較手段と、
前記機種情報比較手段で取得された比較結果に基づき、出力先プリンタ切替時に印刷設定を引き継ぐか又は初期化するかを判別する印刷設定引継手段と、
を有する情報処理装置。
【請求項２】
請求項１に記載された情報処理装置において、
前記印刷設定の引継モードは、印刷設定の引継に関して、「引き継ぐ」、「初期化する」、又は「引き継ぐ」か「初期化する」かを「自動判別」する各引継モードである情報処理装置。
【請求項３】
請求項１又は２に記載された情報処理装置において、
前記所定の判別基準は、プリンタの機能のデフォルト値であり、前記印刷設定引継手段は、前記デフォルト値の差異の有無を判別基準として印刷設定を引き継ぐか又は初期化するかを判別する情報処理装置。
【請求項４】
請求項１ないし３のいずれかに記載された情報処理装置において、
前記所定の判別基準はプリンタの機能における禁則であり、前記印刷設定引継手段は、禁則に該当又は非該当を判別基準として印刷設定を引き継ぐか又は初期化するかを判別する情報処理装置。
【請求項５】
請求項１ないし４のいずれかに記載された情報処理装置において、
前記引継条件は、前記印刷設定引継手段の印刷設定を引き継ぐか又は初期化するかの判別を除外する判別除外機能を含み、
前記引継条件設定手段が印刷設定の引継に関して判別除外機能の選択を受け付けたとき、印刷設定の引継を行う情報処理装置。
【請求項６】
請求項３又４に記載された情報処理装置において、
前記プリンタドライバが利用するカスタマイズファイルを備え、
前記印刷設定引継手段は、前記カスタマイズファイルで請求項３に記載されたデフォルト値又は請求項４に記載された禁則に係るプリンタ機能の選択肢が固定されているとき、引継の判別を行う情報処理装置。
【請求項７】
請求項４に記載された情報処理装置において、
前記印刷設定引継手段は、切替元プリンタの機種情報の機能の選択肢が切替先プリンタの機種情報にないとき、又は前記切替先プリンタの機能が前記切替元プリンタの機能の排他条件に該当するときは、初期化の判別を行う情報処理装置。
【請求項８】
請求項１に記載された情報処理装置において、
前記所定の判別基準は、プリンタの機種名であり、
前記印刷設定引継手段はプリンタの機種名を判別基準として印刷設定を引き継ぐか又は初期化する判別を行う情報処理装置。
【請求項９】
複数のプリンタに接続可能で、前記複数のプリンタに共通のプリンタドライバを備えた情報処理装置における印刷設定引継方法であって、
前記プリンタドライバによる、
ユーザが出力先プリンタを切り替えるとき、ユーザの印刷設定の引継条件に関する選択を受け付けて設定する引継条件設定工程と、
前記設定された引継条件における印刷設定の引継モードを判別し、引継モードが自動判別であるとき、切替元プリンタの機種情報と切替先プリンタの機種情報を、前記引継条件における所定の判別基準で比較した比較結果を取得する機種情報比較工程と、
前記機種情報比較工程で取得された比較結果に基づき、出力先プリンタ切替時に印刷設定を引き継ぐか又は初期化するかを判別する印刷設定引継工程と、
を有する情報処理装置における印刷設定引継方法。
【請求項１０】
複数のプリンタに接続可能で、前記複数のプリンタに共通のプリンタドライバを備えた情報処理装置のコンピュータを、
ユーザが出力先プリンタを切り替えるとき、ユーザの印刷設定の引継条件に関する選択を受け付けて設定する引継条件設定手段と、
前記設定された引継条件における印刷設定の引継モードを判別し、引継モードが自動判別であるとき、切替元プリンタの機種情報と切替先プリンタの機種情報を、前記引継条件における所定の判別基準で比較した比較結果を取得する機種情報比較手段と、
前記機種情報比較手段で取得された比較結果に基づき、出力先プリンタ切替時に印刷設定を引き継ぐか又は初期化するかを判別する印刷設定引継手段として機能させるプリンタドライバ。
【発明の詳細な説明】
【技術分野】
【０００１】
本発明は、印刷設定に特徴を有する情報処理装置、印刷設定引継方法、及びプリンタドライバに関する。
【背景技術】
【０００２】
近年、企業等において、複数機種のプリンタに対応できる機種共通プリンタドライバ（ここでは、単にプリンタドライバという）が導入されてきている。このプリンタドライバは、ユーザの指示に応じて出力先プリンタを切り替え、切替先のプリンタに応じた印刷設定画面を表示する。ユーザは、表示された印刷設定画面で印刷設定を行うことで希望の印刷を行うことができる。
つまり、ユーザは、複数機種のプリンタを制御する情報処理装置にプリンタドライバを１つインストールしておけば、導入されているプリンタ毎に複数の機種別プリンタドライバをインストールする必要はない。
このプリンタドライバは、複数のプリンタを保有するサーバクライアント環境や、会議室や外出先で適宜プリンタを切り替えて印刷が可能なモバイル環境でよく利用される。
【０００３】
図１６は、プリンタドライバを使用するサーバクライアント環境を表すプリンタシステムの一例を示す図である。このプリンタシステムでは、複数のプリンタ１０６〜１１１と複数のクライアントＰＣ（Personal Computer）１０３〜１０５を１台の情報処理装置であるサーバＰＣ１０２を介して接続して構成したネットワークプリンタシステムを示す。
即ち、ネットワーク１０１には、１台のサーバＰＣ１０２と複数のプリンタ１０６〜１１１と、複数のクライアントＰＣ１０３〜１０５が接続されている。このネットワークシステムでは、サーバＰＣ１０２にプリンタドライバがインストールされている。このプリンタドライバで複数のプリンタ１０６〜１１１を印刷制御することができる。サーバＰＣ１０２では、アイコン毎、つまり接続しているプリンタ１０６〜１１１毎に印刷設定を行うことができる。またクライアントＰＣ１０３〜１０５でも、ポイントアンドプリント接続したアイコン毎にサーバＰＣ１０２とは異なるユーザ独自の印刷設定を行うことができる。
【０００４】
図１７は、プリンタドライバを使用する他のプリンタシステムの一例を示す図である。これは、１台のモバイルＰＣ２０２と複数、例えば２台のプリンタ２０３，２０４を切り替えて使用する、いわゆるモバイル環境におけるプリンタシステムである。このプリンタシステムでは、モバイルＰＣ２０２にプリンタドライバがインストールされている。モバイルＰＣ２０２は、ユーザが携帯して、例えばある場所にあるプリンタ２０４と接続して印刷を行う（図１７（ａ））。その後それとは異なる場所のプリンタ２０３に切り替えて印刷を行う（図１７（ｂ））。
【０００５】
このプリンタドライバで、切替先のプリンタの機種が変わったときの印刷設定を行う場合、ユーザが既に設定した印刷設定を自動的に初期化する方法と、切替前の印刷設定を、そのまま引き継いで新たな出力先プリンタ用とする方法が知られている。
従来のプリンタドライバでは、プリンタを切り替える際に印刷設定をすべて初期化する又は印刷設定をそのまま引き継ぐ、のいずれか一方の方法が採用されている。そのため、ユーザの望まない印刷設定の初期化や引継が行われることがある。
【０００６】
即ち、印刷設定を全て初期化する方法では、次のような問題がある。例えば、或プリンタを出力先としてプリンタドライバを利用している場合、そのプリンタの機能を全てサポートしている他のプリンタに切り替えるときも初期化が行われる。
とくに、図１６に示すような大規模なプリンタシステム環境においては、出力先のプリンタ１０６〜１１１は、主にサーバＰＣ１０２で切り替えられ、出力先が切り替えられるとサーバＰＣ１０２の印刷設定が初期化される。また、サーバＰＣ１０２につながっているクライアントＰＣ１０３〜１０５全ての印刷設定も初期化されることがあり、ユーザが希望の印刷設定作業を再度行わなければならないため手間が掛かる。
【０００７】
一方、印刷設定をそのまま引き継ぐ場合も問題が生じることがある。例えば、モノクロ機でカラー印刷ができないプリンタを出力先として、プリンタドライバを利用しているユーザを想定する。そのユーザがカラー機である別のプリンタに出力先を切り替えた場合、印刷設定はそのまま引き継がれる。その結果、切替後の印刷設定はカラー機に切り替えたにもかかわらずモノクロになる。
【０００８】
とくに、図１７に示す出力先のプリンタ等に出力先を切り替えることが多いモバイル環境では、切替元及び切替先プリンタのスペックに互換性がない場合が多い。そのため、引き継がれるべき印刷設定と引き継がれるべきでない印刷設定が混在することがある。これはユーザにとっての分かりやすさという観点からも問題である。
【０００９】
以上のように、プリンタドライバを使用したプリンタの使用環境において、出力先プリンタを切り替える場合における、引き継ぐか或いは初期化するという二者択一の印刷設定方法には問題がある。
【００１０】
これらの問題に対し、例えば、特許文献１には、プリンタの有する機能ごとに印刷設定（値）を引き継ぐか否かを示す引継情報を基に、引き継ぐ機能の印刷設定は既設定に設定し、引き継がない機能は、印刷設定を出力先プリンタの設定とすることが記載されている。
また、オプション機能に関しては、切替先プリンタのオプション機能を有効にしたい場合は、引継情報に「引き継がない」設定とすることによって、切替先プリンタの設定に切り替えられるようにしている。
これによりユーザは、新たに設定し直すことなく希望する印刷設定で印刷するケースが増え、切替後の印刷設定作業を行うケースを削減することができる。
【００１１】
ただ、前記特許文献１に記載された印刷設定方法は、引継可否の情報を記載する引継情報は、切替先のプリンタでその印刷設定が実行可能か否か等、機種情報を考慮したものではない。そのため、切替先プリンタの機種情報に応じて、印刷設定の引継を行うか否かを選択することはできない。
【発明の概要】
【発明が解決しようとする課題】
【００１２】
本発明は、前記従来の問題に鑑みてなされたものであって、その目的は、プリンタドライバにより出力先プリンタを切り替えるに際して、切替先のプリンタの機種情報を考慮することで、ユーザが改めて印刷設定し直すこととなるケースを従来よりも限定し、それによって、ユーザの印刷設定の負担を軽減することである。
【課題を解決するための手段】
【００１３】
本発明の情報処理装置は、複数のプリンタに接続可能で、前記複数のプリンタに共通のプリンタドライバを備えた情報処理装置であって、ユーザが出力先プリンタを切り替えるとき、ユーザの印刷設定の引継条件に関する選択を受け付けて設定する引継条件設定手段と、前記設定された引継条件における印刷設定の引継モードを判別し、引継モードが自動判別であるとき、切替元プリンタの機種情報と切替先プリンタの機種情報を、前記引継条件における所定の判別基準で比較した比較結果を取得する機種情報比較手段と、前記機種情報比較手段で取得された比較結果に基づき、出力先プリンタ切替時に印刷設定を引き継ぐか又は初期化するかを判別する印刷設定引継手段と、を有する情報処理装置である。
【発明の効果】
【００１４】
本発明によれば、プリンタドライバにより出力先プリンタを切り替えるに際して、切替先のプリンタの機種情報を考慮することで、ユーザが改めて印刷設定し直すこととなるケースを従来よりも限定したため、ユーザの印刷設定の負担を軽減することができる。
【図面の簡単な説明】
【００１５】
【図１】本実施形態のプリンタドライバを利用するシステム構成について説明する図である。
【図２】プリンタドライバで実現する機能とプリンタドライバが利用するファイルを示すブロック図である。
【図３】図２に示すプリンタドライバで使用する機種情報ファイルの内容の一例を示す図である。
【図４】引継条件設定手段が提供し、図１のユーザＰＣの画面に表示される画面の一例、即ち、出力先プリンタを選択するためのPrinter Selection（プリンタ選択）画面である。
【図５】引継条件設定手段によって提供される印刷設定引継詳細画面である。
【図６】引継条件設定手段によって設定される引継条件記憶領域に記憶（保存）した引継条件の一例を示す図である。
【図７】図４のPrinter Selection画面上に、図５に示す印刷設定引継詳細画面で選択した引継条件等を表示させた時の表示画面である。
【図８】機種情報比較手段の処理手順のフロー図である。
【図９】デフォルト値を判別基準として、２つの機種情報ファイルの内容を比較した比較１の結果を、機種間情報記憶領域に保存する処理手順を示すフロー図である。
【図１０】「禁則」を判別基準として切替元及び切替先プリンタについての機種情報ファイルの内容を比較した結果を、機種間情報記憶領域に保存する処理手順を示すフロー図である。
【図１１】機種情報比較手段によって、機種間情報記憶領域に保存される機種間情報の一例を示す図である。
【図１２】カスタマイズファイルの一例を示す図である。
【図１３】図９に示す処理手順にカスタマイズファイルが有る場合の「比較１」の処理手順のフロー図である。
【図１４】図１０に示す処理手順にカスタマイズファイルが有る場合の「比較２」の処理手順のフロー図である。
【図１５】印刷設定引継手段による処理手順のフロー図である。
【図１６】プリンタドライバを使用するサーバクライアント環境を表すプリンタシステムの一例を示す図である。
【図１７】プリンタドライバを使用する他のプリンタシステムの一例を示す図である。
【発明を実施するための形態】
【００１６】
（実施形態１）
以下、本発明の実施形態について、まず、そのシステム構成について説明する。
図１は、本実施形態のプリンタドライバを利用するシステム構成について説明する図である。
本システムは、図１に示すように、ユーザＰＣ３０２と、プリンタ３０３、３０４、３０５で構成されている。ユーザＰＣ３０２にはプリンタドライバがインストールされている。ユーザＰＣ３０２は、プリンタドライバにより各プリンタ３０３、３０４、３０５を適宜切り替えて印刷を行う。
なお、図１は、プリンタ３０３が出力先プリンタとして接続されていることを示している。
【００１７】
次に、ユーザＰＣ３０２が備えるプリンタドライバについて説明する。
図２は、プリンタドライバ４０１で実現する機能とプリンタドライバ４０１が利用するファイルを示すブロック図である。
図２中、引継条件設定手段４０４、印刷設定引継手段４０５、機種情報比較手段４０６は、プリンタドライバ４０１を情報処理装置のコンピュータにインストールすることにより実現する機能実現手段である。また、機種情報ファイル４０２、カスタマイズファイル４０３は、従来のプリンタドライバに同梱されているファイルである。
図中、４０９は、引継条件設定手段４０４によって設定される引継条件及び機種情報比較手段４０６によって取得された後述の機種間情報を保存する記憶手段の記憶領域を示す。記憶領域４０９は、引継条件を保存する引継条件記憶領域４０７と機種間情報を保存する機種間情報記憶領域４０８を有する。また、記憶領域４０９は、レジストリ、ファイルなどの情報を記憶しておくことができる領域であり、読み書きできる領域であれば場所は問わない。
【００１８】
本実施形態では、前記の各手段の処理手順は、プリンタドライバ４０１搭載モジュール以外のモジュールを新たに作成して追加するのではなく、プリンタドライバ４０１にいくつかの必要な処理手順を組み込むことで対応する。
【００１９】
ここで、引継条件設定手段４０４は、ユーザが出力先プリンタを切り替えるとき、印刷設定を初期化するか又はそのまま引き継ぐかを選択するための印刷設定引継詳細画面を提供する。
ユーザは、印刷設定引継詳細画面上で、印刷設定を初期化するか、印刷設定を引き継ぐかなどに関する引継条件を選択する。ユーザが選択した引継条件は引継条件記憶領域４０７に保存される。つまり、引継条件設定手段４０４は、ユーザの印刷設定の引継条件に関する選択を受け付け、選択された引継条件を記憶手段である引継条件記憶領域４０７に保存（記憶）させる機能を有する。
【００２０】
機種情報比較手段４０６は、ユーザＰＣ３０２の記憶領域４０９の引継条件記憶領域４０７に保存された引継条件を確認した上で、切替元及び切替先プリンタの機種情報ファイル４０２の内容（機種情報）を所定の判別基準（例えば、デフォルト値と禁則）で比較して、その結果（ここでは判別基準の差異又は充足の有無）を取得（又は抽出）する。
なお、プリンタドライバ４０１のインストールパッケージにカスタマイズ内容を記述したファイル（カスタマイズファイル）４０３があれば、機種情報比較手段４０６は、そのカスタマイズ内容を考慮して前記結果を取得する。取得した結果は、ユーザＰＣ３０２内の機種間情報記憶領域４０８に機種間情報として保存する。
【００２１】
印刷設定引継手段４０５は、引継モードが自動判別であるときは、機種情報比較手段４０６によって取得された機種間情報を基に、出力先プリンタ切替時に印刷設定を引き継ぐか又は初期化するかを判別する。また、それに応じた印刷設定に関する処理を行う。
【００２２】
次に、機種情報ファイル４０２について説明する。
本実施形態において、プリンタドライバ４０１は、複数機種のプリンタに対応するために、機種情報ファイル４０２を有している。なお、フィニッシャーは、印刷された用紙の仕上げ加工等の機能を持つ装置で、プリンタ等にオプションとして付属されている。
【００２３】
図３は、図２に示すプリンタドライバ４０１で使用する機種情報ファイル４０２の内容の一例を示す図である。
機種情報ファイル４０２には、プリンタ機種名、プリンタの有する機能又はオプション名、機能又はオプションのデフォルト値、その機能に関する排他条件、機能又はオプションが定義されている（これらを総称してここでは機種情報という）。
【００２４】
図３（ａ）、（ｂ）、（ｃ）中、「model」はプリンタ機種名、「feature name」はプリンタの有する機能名、「option name」はプリンタの有するオプション名、「default」は機能又はオプションのデフォルト値、「constraint fixvalue」は排他条件に適合した場合の固定値、「condition expression」は排他条件を表す。また、プリンタの有する機能やオプションなども表す。
【００２５】
図３（ａ）に示す機種情報ファイル４０２に記述されたプリンタ３０３は、機能として「カラーモノクロ」、「両面」、「ステープル」を有し、オプションとして「フィニッシャー」を有する。
「カラーモノクロ」機能の選択肢は「カラー」又は「モノクロ」であり、デフォルト値は「カラー」である。「両面」機能の選択肢は「ＯＦＦ（片面印刷）」、「左に開く」又は「上に開く」であり、デフォルト値は「ＯＦＦ」となっている。
また、「ステープル（ステープラの針止加工）」の機能の選択肢は「ＯＦＦ（針止加工なし）」、「上に２箇所」又は「左に２箇所」であり、デフォルト値は「ＯＦＦ」である。「フィニッシャー」が「ＯＦＦ」のときは「ステープル」の値も「ＯＦＦ」に固定される。
さらに、「フィニッシャー」の選択肢は「ＯＦＦ（フィニッシャー機能なし）」又は「ＯＮ（フィニッシャー機能有り）」であり、デフォルト値は「ＯＦＦ」である。
【００２６】
次に、図３（ｂ）に示す機種情報ファイル４０２に記述されたプリンタ３０４は、機能として「カラーモノクロ」、「両面」、「集約」、「ステープル」を有し、オプションとして「フィニッシャー」を有する。
プリンタ３０４の機能としての「カラーモノクロ」、「両面」、「ステープル」、オプションとしての「フィニッシャー」は、プリンタ３０３と同じ機能、オプションであり、また選択肢も同じである。したがって、ここでは、プリンタ３０３と異なる機能の「集約」について説明する。
「集約」機能の選択肢は「ＯＦＦ（そのまま１枚の紙に出力する）」又は「２ｉｎ１（２画像を１画像に集約する）」であり、デフォルト値は「ＯＦＦ」である。
【００２７】
図３（ｃ）に示す機種情報ファイル４０２に記述されたプリンタ３０５は、機能として「集約」、「カラーモノクロ」、「用紙方向」、「ステープル」を有し、オプションとして「フィニッシャー」を有している。
また、ここでも前記プリンタ３０３、プリンタ３０４と異なる機能「用紙方向」について説明する。
「用紙方向」の機能の選択肢は「縦」又は「横」であり、デフォルト値は「縦」となっている。しかし、プリンタ３０５の「カラーモノクロ」機能は、デフォルト値が「モノクロ」であり、機能の選択肢は「モノクロ」のみで、前記プリンタ３０３、プリンタ３０４とは異なる。
以下、プリンタ３０３、プリンタ３０４、プリンタ３０５は特に記載のない限り、デフォルト値は前記の設定がなされているものとして説明する。
なお、カスタマイズファイル４０３については図１２を参照して説明する。
【００２８】
本実施形態では、プリンタドライバ４０１は、出力先プリンタが変更されたとき、当該プリンタの機種情報ファイル４０２を読み込み、当該プリンタの機能などを後述する印刷設定引継詳細画面に反映させる。
【００２９】
図４は、引継条件設定手段４０４が提供し、図１のユーザＰＣ３０２の画面に表示される画面の一例、即ち、出力先プリンタを選択するためのPrinter Selection（プリンタ選択）画面６０１である。
図４の表示画面は、「Current Model」の出力先プリンタ表示６０２、「Select Model」の出力先プリンタ表示６０３、Updateボタン６０４、印刷設定引継詳細ボタン６０５、ＯＫボタン６０６、キャンセルボタン６０７、適用ボタン６０８で構成されている。
ここでは、出力先プリンタ表示６０２に、プリンタ３０３が選択されていることを表示している。ユーザが、図４の画面において、「Select Model」の出力先プリンタ表示６０３で、例えば、プリンタ３０５を選択してUpdateボタン６０４をクリックすると、プリンタ３０５用の設定画面に切り替わる。また、ユーザは、予めプリンタを切り替える際の印刷設定の引継条件について選択を行う。即ち、図４のPrinter Selection画面６０１上の印刷設定引継詳細ボタン６０５をクリックすると、引継条件設定手段４０４によって印刷設定引継詳細画面が立ち上がる。
【００３０】
図５は、引継条件設定手段４０４によって提供される印刷設定引継詳細画面７０１である。
図５の画面は、印刷設定引継詳細画面７０１、「すべて初期化する」のラジオボタン７０２、「すべて引き継ぐ」のラジオボタン７０３、「自動判別」のラジオボタン７０４、判別基準７０５、判別基準の「デフォルト値」のチェックボックス７０６、判別基準の「禁則」のチェックボックス７０７、判別除外機能を選択するコンボボックス７０８、追加ボタン７１０、削除ボタン７１１、判別除外機能一覧のリストボックス７０９、ＯＫボタン７１２、キャンセルボタン７１３、適用ボタン７１４で構成されている。
【００３１】
ユーザは、印刷設定引継詳細画面７０１上で、印刷設定の引継に関する条件（引継条件）を選択する。即ち、ユーザが引継条件を選択してＯＫボタン７１２を押すと、ユーザの選択した引継条件が引継条件設定手段４０４により引継条件記憶領域４０７に保存される。つまり、引継条件設定手段４０４はユーザが選択した引継条件を受け付けかつ設定する手段である。
【００３２】
以下、印刷設定引継詳細画面７０１について詳述する。
図５中、ラジオボタン７０２〜７０４により引継モードを選択する。ここでは以下の３つの引継モードが選択可能である。
まず、ユーザがラジオボタン７０２「すべて初期化する」を選択した場合は、引継条件設定手段４０４により、「選択引継モードは初期化」が引継条件記憶領域４０７に保存される。
この場合、どのプリンタに切り替えても、必ず印刷設定が初期化される。したがって、この機能は、出力先プリンタを切り替えたときには一から設定を変更し直したいユーザにとって有効な機能である。
【００３３】
次に、ユーザがラジオボタン７０３「すべて引き継ぐ」を選択した場合は、引継条件設定手段４０４により、「選択引継モードは引継」が引継条件記憶領域４０７に保存される。
この場合は、どのプリンタに切り替えても必ず切替元プリンタの印刷設定が引き継がれる。この引継モードは、複雑な印刷設定で印刷するユーザや、印刷設定の設定作業をできるだけ削減したいユーザにとって有効な機能である。
【００３４】
さらに、ユーザがラジオボタン７０４「自動判別」を選択した場合は、引継条件設定手段４０４により、「選択引継モードは自動判別」が引継条件記憶領域４０７に保存される。この場合は、ユーザが選択した「判別基準」に従って印刷設定引継手段４０５が、自動的に印刷設定を引き継ぐか初期化するかを判別して処理を行なう。ユーザが判別基準を選択すると、その情報も引継条件記憶領域４０７に保存される。
【００３５】
また、ユーザがラジオボタン７０４で自動判別を選択すると、引き継ぐかどうかの判別基準７０５を選択するデフォルト値のチェックボックス７０６、禁則のチェックボックス７０７、判別除外機能を選択するコンボボックス７０８、判別除外機能一覧のリストボックス７０９が表示される。自動判別以外の引継モードが選択されたときはこれらの機能の表示はグレーアウトされる。
【００３６】
ユーザが「自動判別」のラジオボタン７０４を選択した場合において、判別基準７０５で、デフォルト値のチェックボックス７０６を選択すると、プリンタの有する機能の「デフォルト値」のみを判別基準として、印刷設定引継手段４０５は、印刷設定を引き継ぐかどうかの判別と、その判別に応じた処理を行う。引継条件設定手段４０４により、「判別基準はデフォルト値」が引継条件記憶領域４０７に保存される。
【００３７】
一方、ユーザが判別基準７０５のプリンタの機能の「禁則」のチェックボックス７０７を選択すると、引継条件設定手段４０４により、「判別基準は禁則」が引継条件記憶領域４０７に保存される。
ここで、「禁則」は、例えば、カラーの設定をモノクロ印刷用プリンタに設定するなど、プリンタに無意味又は実現不能の機能を印刷設定として設定することを禁止するルール（規約）である。
【００３８】
ユーザが、引き継ぐかどうかの判別対象から除外する機能を、判別除外機能を選択するコンボボックス７０８から選択し、追加ボタン７１０を押すと、リストボックス７０９に判別除外機能の一覧のリストに追加される。「判別除外機能は機能名１、機能名２、・・・である」が、引継条件設定手段４０４によって、引継条件記憶領域４０７に保存され、それらの機能については判別基準による判別の対象とされない。
なお、判別基準と判別除外機能については、図９、図１０のフロー図を参照してさらに説明する。
【００３９】
自動判別（引継モード）では、例えば、図１６、図１７に示すプリンタの利用環境に応じて、自動的に印刷設定を引継又は初期化する。したがって、余計な印刷設定作業の手間を省きながら、しかも適切な印刷設定で印刷したいユーザにとって有効な機能である。
【００４０】
つまり、ユーザが自動判別のラジオボタン７０４を選択すると、印刷設定引継手段４０５が、切替先プリンタに応じて、印刷設定を自動的に引き継ぐか初期化するかを判別して処理を行う。
これにより、プリンタの切替時における、プリンタドライバ４０１による印刷設定を初期化するか引き継ぐかを一律に規定することで生じる弊害が回避される。
【００４１】
また、印刷設定引継詳細画面７０１において、「すべて初期化する」又は「すべて引き継ぐ」の引継モードを選択可能にすることで、従来の切替方法を望むユーザでも利用することができる。
【００４２】
図６は、引継条件設定手段４０４によって設定される引継条件記憶領域４０７に記憶（保存）した引継条件の一例を示す図である。
引継条件の設定は次の手順で行う。即ち、ユーザは、印刷設定引継詳細画面７０１で「自動判別」引継モード、判別基準として「デフォルト値」を選択する。判別対象から除外する機能として、「カラーモノクロ機能」、「両面機能」をリストに追加する。次に、ＯＫボタン７１２を押し、それを引継条件記憶領域４０７に記憶する。この引継条件を基に出力先プリンタの切替処理を行う。
【００４３】
図７は、図４のPrinter Selection画面６０１上に、図５に示す印刷設定引継詳細画面７０１で選択した引継条件等を表示させた時の表示画面９０１である。即ち、図７は、図５の印刷設定引継詳細画面７０１で、図６の引継条件記憶領域４０７に示す引継条件を選択し、ユーザがＯＫボタン７１２を押して印刷設定引継詳細画面７０１を閉じたあと、表示される図７のUpdateボタン９０４にカーソルを合わせた時の状態（画面）を示している。
印刷設定引継詳細のダイアログ９０９の表示は、選択された引継条件を示している。即ち、引継条件は、ここでは、引継モードは自動判別、判別基準はデフォルト値、判別除外機能はカラーモノクロ、両面である。
以上で、引継条件設定手段４０４により、提供される画面とその操作の説明を終了する。
【００４４】
次に、機種情報ファイル４０２を用いて行うプリンタドライバ４０１によるユーザＰＣ３０２の動作について説明する。
【００４５】
図８は、機種情報比較手段４０６の処理手順のフロー図である。
ユーザから出力先プリンタの切替指示があったときは、機種情報比較手段４０６は、引継条件記憶領域４０７から引継条件を読み込む（Ｓ１０１）。ここで、引継条件の引継モードを判別し（Ｓ１０２）、引継モードが自動判別であれば（Ｓ１０２、ＹＥＳ）、機種情報比較手段４０６は、切替元プリンタの機種情報ファイル４０２と切替先プリンタの機種情報ファイル４０２を読み込み取得する（Ｓ１０３）。
【００４６】
次に、切替元プリンタの機種情報ファイル４０２と切替先プリンタの機種情報ファイル４０２の内容（機種情報）を比較する。即ち、ここでは、プリンタ機能のデフォルト値を判別基準として比較（比較１という）し（Ｓ１０４）、比較１の結果（ここでは、デフォルト値の不一致）を機種間情報として保存する（Ｓ１０５）。
次に、２つの機種情報ファイル４０２の内容を、禁則を判別基準として比較（比較２という）し（Ｓ１０６）、比較２の結果（ここでは、禁則に該当）を機種間情報として保存する（Ｓ１０７）。
これらの処理が終わると図１５の（２）へ移行する。
【００４７】
ステップＳ１０２において、引継モードが自動判別でなければ（Ｓ１０２、ＮＯ）、図１５の（１）へ移行する。
なお、比較１と比較２の処理手順、機種間情報記憶領域４０８の保存内容については、図９、図１０のフロー図で説明する。
【００４８】
図９は、デフォルト値を判別基準として、前記２つの機種情報ファイル４０２の内容を比較した比較１の結果を、機種間情報記憶領域４０８に保存する処理手順を示すフロー図である。即ち、図９は、図８に示す比較１（Ｓ１０４）のサブルーチンを示す。
【００４９】
処理の手順としては、まず、切替元プリンタの機種情報ファイル４０２の、例えば上から順に機能を検索する（Ｓ２０１）。未検索の機能が見つかったときは（Ｓ２０２、ＹＥＳ）、引継条件が「引継条件の除外機能に設定されていない」機能であるか判別する（Ｓ２０３）。
【００５０】
ステップＳ２０３において、「引継条件の判別除外機能に設定された」機能のときは（Ｓ２０３、ＮＯ）、ステップＳ２０１に戻る。
一方、「引継条件の判別除外機能に設定されていない」機能であるときは（Ｓ２０３、ＹＥＳ）、見つけた機能が切替先プリンタの機種情報ファイル４０２にあるかを確認する（Ｓ２０４）。
【００５１】
ステップＳ２０４の処理で、見つけた機能が切替先プリンタの機種情報ファイル４０２にないときは（Ｓ２０４、ＮＯ）、ステップＳ２０１に戻る。
一方、見つけた機能が切替先プリンタの機種情報ファイル４０２にあるときは（Ｓ２０４、ＹＥＳ）、切替元及び切替先プリンタの該当機能についてデフォルト値が異なるかを確認する（Ｓ２０５）。デフォルト値が同じときは（Ｓ２０５、ＮＯ）、ステップＳ２０１に戻る。
一方、機能のデフォルト値が異なっていれば（Ｓ２０５、ＹＥＳ）、比較結果（true）を機種間情報として保存して（Ｓ１０５）、図８のステップＳ１０６の比較２の処理に進む。
ステップＳ２０２において、未検索の機能が見つからないとき、つまり検索が終了したときは（Ｓ２０２、ＮＯ）、図８のステップＳ１０５の機種間情報として保存に移行する。この場合は機種間情報記憶領域４０８に「false」を保存して図８のステップＳ１０６の比較２の処理に進む。
【００５２】
ここで、デフォルト値を判別基準として切替元及び切替先プリンタ間の機種情報ファイル４０２の差異を調べる処理を実行するのは、デフォルト値が異なる場合に設定が引き継がれることを回避するためである。
即ち、図３に示した機種情報ファイル４０２には、プリンタの有する機能毎にデフォルト値が記載されている。各機能のデフォルト値は基本的にはプリンタの機種によらず同じであることが多い。しかし、その中でも機種によってデフォルト値が変わる機能もあり得る。
例えば、図３に示した機種情報ファイル４０２では、「カラーモノクロ」の機能は、カラー機であるプリンタ３０３だけでなく、プリンタ３０５も持っている。しかし、デフォルト値はプリンタ３０３がカラーであるのに対し、プリンタ３０５はモノクロの選択肢しかなくモノクロである。
【００５３】
また、例えば、「今までは両面ＯＦＦ（即ち片面印刷）をデフォルト値と定義していたが、今後の発売プリンタでは、「両面左開き」をデフォルト値とする」というように、仕様が変更される場合がある。このように、同じ機能を有していても、デフォルト値が異なれば単に印刷設定を引き継いでもそのプリンタに対して所望の印刷ができないことがある。
【００５４】
具体的には、プリンタ３０５からプリンタ３０３へ切り替える際に、印刷設定をそのまま引き継ぐと、カラーモノクロの設定はモノクロとなってしまい、そのまま印刷するとカラー機に切り替えたにも拘らずモノクロで印刷される。
以上のように、切替元及び切替先プリンタの機能のデフォルト値の比較をすることにより、デフォルト値が同じであれば印刷設定を引き継ぎ、デフォルト値が異なれば印刷設定の引継は行わず、印刷設定は初期化する。
【００５５】
次に、比較２の処理、即ち、切替元プリンタの機種情報ファイル４０２と切替先プリンタの機種情報ファイル４０２の内容を、「禁則」を判別基準として比較して、その結果により印刷設定を引き継ぐか初期化するかを判別する処理について説明する。
図１０は、「禁則」を判別基準として切替元及び切替先プリンタについての機種情報ファイル４０２の内容を比較した結果を、機種間情報記憶領域４０８に保存する処理手順を示すフロー図である。
これは、図８のフロー図における比較２の「２つの機種情報ファイルの内容（機種情報）を、禁則を判別基準として比較」（Ｓ１０６）のサブルーチンである。
【００５６】
処理の手順としては、ステップＳ３０１〜Ｓ３０４までは、図９に示すデフォルト値を判別基準とする処理手順ステップＳ２０１〜Ｓ２０４と同じであるので、その説明をここに援用して説明を省略する。
【００５７】
ステップＳ３０４で、見つけた機能が切替先プリンタの機種情報ファイル４０２にあるときは（Ｓ３０４、ＹＥＳ）、切替元プリンタで設定していた選択肢が切替先プリンタの機種情報ファイルにあるか確認する（Ｓ３０５）。つまり、切替元プリンタの前記機能について設定されていた選択肢が、切替先プリンタの機種情報ファイルにもあるか確認する。
一方、見つけた機能が切替先プリンタの機種情報ファイル４０２にないときは（Ｓ３０４、ＮＯ）、ステップＳ３０１に戻る。
【００５８】
ステップＳ３０５で、選択肢が切替先プリンタの機種情報ファイル４０２になかったときは（Ｓ３０５、ＮＯ）、差異があるとみなして、次に、図８のステップＳ１０７で比較結果（差異有り）を機種間情報として保存する（Ｓ１０７）へ移行する。例えば、プリンタ３０３のカラーモノクロ機能でカラーを選択しているときに、切替後のプリンタがカラーモノクロ機能でモノクロしか選択肢がなかった場合は、機種情報ファイル４０２に選択肢がないので差異があるとみなされる。
【００５９】
一方、選択肢が切替先プリンタの機種情報ファイル４０２にあるときは（Ｓ３０５、ＹＥＳ）、排他条件にあてはまるかを確認する（Ｓ３０６）。ここで、排他条件にあてはまれば（Ｓ３０６、ＹＥＳ）、差異があるとみなして、図８のステップＳ１０７へ移行し、比較結果を機種間情報として保存へ移行する。
切替元プリンタが後述するフィニッシャーとステープルの機能を有する場合では、切替先プリンタ３０５にフィニッシャーのオプション機能があるかを確認する。フィニッシャーのオプション機能がなく排他条件にあてはまる場合には（Ｓ３０６、ＹＥＳ）、図８のステップＳ１０７の機種間情報として保存へ移行する。
一方、フィニッシャーのオプション機能があり排他条件にあてはまらないときは（Ｓ３０６、ＮＯ）、ステップＳ３０１に戻る。
【００６０】
このように、比較２の処理手順においては、禁則を判別基準として、比較結果を機種間情報として保存する。
例えば、図３に示す機種情報ファイル４０２によれば、プリンタ３０３のカラーモノクロ機能のデフォルト値はカラーに設定されている。一方、プリンタ３０５はカラー印刷の選択肢を有していない。
したがって、プリンタ３０３からプリンタ３０５に切り替える場合には、プリンタ３０５は、カラーモノクロの印刷設定は引き継がずデフォルト値であるモノクロにせざるを得ない。この場合は、ステップＳ３０５の「切替元プリンタで設定していた選択肢が切替先プリンタの機種情報ファイルにあるか」の判別で禁則に該当する。
【００６１】
また、同様に、機種情報ファイル４０２において、各プリンタ３０３〜３０５でフィニッシャーとステープルの機能間では、フィニッシャーがＯＮでないとステープルは利用できない。そのため、仮に印刷設定がフィニッシャーがＯＮ、ステープルが「上に２箇所」であるプリンタ３０３から、プリンタ３０５に切り替えた場合、プリンタ３０５はフィニッシャーが装着されていないと、必然的にステープルをＯＦＦにせざるを得ない。
【００６２】
このように、同様の機能を有している機種間でも選択肢の違いや、排他条件によって、印刷設定として設定することを禁止する禁則に該当することになるときには、設定を引き継ぐことが不可となる場合がある。
そのため、禁則に該当する場合を取得（抽出）し、機種間情報として保存する。
なお、禁則に該当しない場合は、後に図１５で説明するように設定の引継を行う。
【００６３】
図１１は、機種情報比較手段４０６によって機種間情報記憶領域４０８に保存される機種間情報の一例を示す図である。プリンタ機能のデフォルト値の判別基準で機種情報ファイル４０２を比較した結果、切替元と切替先プリンタの機種情報に差異があった場合、をtrueとする。また禁則に該当するときもtrueとする。図１１は差異等がある例を示したものである。
【００６４】
次に、カスタマイズファイル４０３を用いて行うプリンタドライバ４０１によるユーザＰＣ３０２の動作について説明する。
機種情報比較手段４０６は、印刷設定初期値カスタマイズがあれば必ず考慮して機種情報の比較を行う。ここで、「印刷設定初期値カスタマイズ」とは、ある機能のデフォルト値を変える、ある機能について選択肢を減らす、などユーザ独自に印刷設定の制約をカスタマイズできる仕組みのことである。これは、プリンタドライバのインストールパッケージにカスタマイズ内容を記述したカスタマイズファイルをインストールするだけで簡単に利用できる。
【００６５】
図１２は、前記カスタマイズファイルの一例を示す図である。機能名は「colorbw」で、固定値は「blackandwhite」の内容である。すなわち、カラーモノクロ機能のデフォルト値をモノクロに固定するようにカスタマイズするという内容を示している。
しかしながら、これは、あくまで機種情報ファイル４０２に書かれた機種情報を基に印刷設定をカスタマイズする機能である。プリンタドライバ４０１が保有する機種情報ファイル４０２のデフォルト値等が書き換えられることはない。
【００６６】
図１２に示すカスタマイズファイル４０３がある場合には、機種情報ファイル４０２には、カラーモノクロ機能でカラーの選択肢があり、デフォルト値がカラーとなっていても、プリンタドライバ４０１のインストールを行なうと、モノクロに設定される。そのため、カスタマイズファイル４０３がある場合には、インストール後にどのプリンタに切り替えようともモノクロになる。
【００６７】
したがって、機種情報比較手段４０６は、図３の機種情報ファイル４０２の機能を有するプリンタ３０５からプリンタ３０３に切り替えるときに、判別基準にデフォルト値が指定されていたとしても、カラーモノクロのデフォルト値については差異として取得しない。以下、この処理手順を説明する。
【００６８】
図１３は、図９に示す処理手順にカスタマイズファイル４０３が有る場合の「比較１」の処理手順のフロー図である。
図１４は、図１０に示す処理手順にカスタマイズファイル４０３が有る場合の「比較２」の処理手順のフロー図である。
図１３のステップＳ４０２、図１４のステップＳ５０２の「未検索の機能が見つかったか」までは、それぞれ図９、図１０の処理手順と同じである。図１３のステップＳ４０２、図１４のステップＳ５０２の未検索の機能を見つけた時点で（Ｓ４０２、ＹＥＳ；Ｓ５０２、ＹＥＳ）、カスタマイズファイル４０３を読み込む（Ｓ４０３、Ｓ５０３）。
【００６９】
次ステップの図１３のステップＳ４０４、Ｓ４０５と図１４のステップＳ５０４、Ｓ５０５は、それぞれ図９のステップＳ２０３、Ｓ２０４と図１０のステップＳ３０３、Ｓ３０４と同じ処理手順である。したがって、この説明を援用してここでは説明は省略する。
続いて、図１３に示す比較１の処理手順のフロー図では、デフォルト値がカスタマイズファイル４０３で固定されていないか（つまり、固定値となっていないか）判別する（Ｓ４０６）。図１４の比較２の処理手順のフロー図では、同様に選択肢がカスタマイズファイル４０３で固定されていないかを判別する（Ｓ５０６）。
【００７０】
カスタマイズファイル４０３に、デフォルト値が固定されているか、又は選択肢が固定されていれば、印刷設定は切替前後で同じになることが機種情報ファイル４０２の内容を判別するまでもなく明らかである。
したがって、図１３に示す処理手順で、デフォルト値が固定されていれば（Ｓ４０６、ＮＯ）、ステップＳ４０１に戻る。
一方、機能のデフォルト値が固定されていなければ（Ｓ４０６、ＹＥＳ）、機能のデフォルト値が異なるか否か判別し（Ｓ４０７）、異なれば（Ｓ４０７、ＹＥＳ）、図８のステップＳ１０５に移行し、比較結果を機種間情報として保存する。
【００７１】
また、図１４に示す処置手順も、カスタマイズファイル４０３で選択肢が固定されていれば（Ｓ５０６、ＮＯ）、ステップＳ５０１に戻る。
一方、カスタマイズファイルで選択肢が固定されていなければ（Ｓ５０６、ＹＥＳ）、図１０のステップＳ３０５以降と同様の処理手順を続ける（Ｓ５０７、Ｓ５０８）。
【００７２】
つまり、カスタマイズファイルの機能やオプション機能の選択肢が、固定されているときは、デフォルト値が異なっていても、また排他条件に該当していても差異がないと判別され、後に図１５で説明するように印刷設定は引継処理される。
【００７３】
最後に、印刷設定引継手段４０５の処理手順について説明する。
図１５は、印刷設定引継手段４０５による処理手順のフロー図である。
図８に示す機種情報比較手段４０６の処理手順に続き実行される。
印刷設定引継手段４０５は、機種情報比較手段４０６によって作成された機種間情報と引継条件設定手段４０４によって設定された引継条件を読み込み、引継を行うか否かを判別し、引継又は初期化の処理を行う。
【００７４】
図１５のフロー図において、印刷設定引継手段４０５は、図８のステップＳ１０２で、引継モードが自動判別でないと判別されて引継モードについて、さらにそのモードを判別する（Ｓ６０１）。ここで、「引継モード」が「初期化」のときは（Ｓ６０１、ＹＥＳ）、印刷設定をすべて初期化し（Ｓ６０２）、出力先プリンタを切り替える。
一方、「引継モード」が「初期化」でないときは（Ｓ６０１、ＮＯ）、「引継」であり（Ｓ６０３）、印刷設定を引き継ぎ（Ｓ６０８）、出力先プリンタを切り替える。
【００７５】
一方、図８のステップＳ１０２で自動判別と判定された処理において、印刷設定引継手段４０５は、引継条件中の「判別基準」を判別する（Ｓ６０４）。「判別基準」が「デフォルト値」のときは（Ｓ６０４、ＹＥＳ）、機種間情報の「デフォルト値」の比較結果を判別する。デフォルト値の比較結果が「true」、すなわちデフォルト値に「差異がある」であれば（Ｓ６０５、ＹＥＳ）、印刷設定をすべて初期化して（Ｓ６０２）、出力先プリンタを切り替える。
一方、判別基準がデフォルト値でないとき（Ｓ６０４、ＮＯ）、又はデフォルト値が「false」、すなわち「差異がない」ときは（Ｓ６０５、ＮＯ）、引継条件の判別基準をさらに判別する（Ｓ６０６）。
【００７６】
ここで、「判別基準」が「禁則」で（Ｓ６０６、ＹＥＳ）、機種間情報の「禁則」が「true」（禁則に該当）ならば（Ｓ６０７、ＹＥＳ）、印刷設定をすべて初期化して（Ｓ６０２）、出力先プリンタを切り替える。
ステップＳ６０６で判別基準が禁則でないとき（Ｓ６０６、ＮＯ）、又は禁則が「true」でない、つまり「false」（禁則に該当しない）のときは（Ｓ６０７、ＮＯ）、印刷設定を引き継ぎ（Ｓ６０８）、出力先プリンタを切り替える。
（実施形態２）
【００７７】
前記実施形態では、図５を参照して説明したように、判別基準としてデフォルト値と禁則を設けたが、さらに、機種情報ファイル４０２に記述されているプリンタ機種名を判別基準とすることもできる。
【００７８】
まず、引継条件設定手段４０４により表示される図５の印刷設定引継詳細画面７０１の、判別基準の欄に「プリンタ機種名」のチェックボックスを設ける。
次に、図８に示す処理手順に、「切替元及び切替先プリンタ機種名を比較」及び「最後の一文字以外が同じか」を追加する。プリンタ機種名が最後の一文字の違いであれば、類似したプリンタであるとみなし、図１１に示す機種間情報記憶領域４０８には「プリンタ機種名＝false」として保存される。
【００７９】
さらに、印刷設定引継手段４０５には、図１５に示す処理手順に「判別基準＝プリンタ機種名？」と「プリンタ機種名＝false？」を追加し、「プリンタ機種名＝false」であれば、「印刷設定を引き継ぐ」との手順を追加する。
【００８０】
具体的には、切替元のプリンタ機種名がカラープリンタ「５００１」であり、切替先の機種名がカラープリンタ「５００２」である場合、機種名の最後の数値が異なるのみである。
そのため、これらのプリンタ機種名には「差異がない」として、機種情報比較手段４０６により、機種間情報記憶領域４０８に「プリンタ機種名＝false」と保存される。
印刷設定引継手段４０５は、引継条件記憶領域４０７の判別基準にプリンタ機種名があること及び機種間情報記憶領域４０８の内容を確認して、印刷設定の引継又は初期化を行う。
【００８１】
また、本実施形態１及び２では、印刷設定の引継に際して、切替元及び切替先のプリンタの機能を比較して一つでも相違があれば差異があるとしてすべて初期化する処理手順を説明している。
機能毎に比較して差異があれば初期化、差異がなければ引き継ぐという機能毎に判別することにより、デフォルト値や禁則などの機能で、差異があるもののみを初期化し、差異がなければ引き継ぐとすることもできる。
このような、より詳細な引継を実施することにより、適切な印刷設定の切替を実施することができる。
【符号の説明】
【００８２】
１０１・・・ネットワーク、１０２・・・サーバＰＣ、１０３〜１０５・・・クライアントＰＣ、１０６〜１１１・・・プリンタ、２０２・・・モバイルＰＣ、２０３、２０４・・・プリンタ、３０２・・・ユーザＰＣ、３０３〜３０５・・・プリンタ、４０１・・・プリンタドライバ、４０２・・・機種情報ファイル、４０３・・・カスタマイズファイル、４０４・・・引継条件設定手段、４０５・・・印刷設定引継手段、４０６・・・機種情報比較手段、４０７・・・引継条件記憶領域、４０８・・・機種間情報記憶領域、４０９・・・記憶領域、６０１・・・Printer Selection画面、６０４、９０４・・・Updateボタン、６０５・・・印刷設定引継詳細ボタン、６０６、９０６・・・ＯＫボタン、７０１・・・印刷設定引継詳細画面、７０２・・・ラジオボタン「すべて初期化する」、７０３・・・ラジオボタン「すべて引き継ぐ」、７０４・・・ラジオボタン「自動判別」、７０５・・・判別基準、７０６・・・「デフォルト値」チェックボックス、７０７・・・「禁則」チェックボックス、７０８・・・コンボボックス、７０９・・・判別除外機能一覧のリストボックス、７１２・・・ＯＫボタン、９０９・・・印刷設定引継詳細のダイアログ。
【先行技術文献】
【特許文献】
【００８３】
【特許文献１】特開２０１０−１６５０５９号公報
【図１】
2014211722.tif 000003
【図２】
2014211722.tif 000004
【図３】
2014211722.tif 000005
【図４】
2014211722.tif 000006
【図５】
2014211722.tif 000007
【図６】
2014211722.tif 000008
【図７】
2014211722.tif 000009
【図８】
2014211722.tif 000010
【図９】
2014211722.tif 000011
【図１０】
2014211722.tif 000012
【図１１】
2014211722.tif 000013
【図１２】
2014211722.tif 000014
【図１３】
2014211722.tif 000015
【図１４】
2014211722.tif 000016
【図１５】
2014211722.tif 000017
【図１６】
2014211722.tif 000018
【図１７】
2014211722.tif 000019